(57)【特許請求の範囲】
【請求項１】
容器本体、化粧料収容部、化粧料用メッシュ、および、前記容器本体を開閉する蓋を備える化粧料容器であって、
前記化粧料収容部は、前記容器本体内に設けられており、上方に開口が形成され、前記開口の周囲には前記化粧料用メッシュの縁部を保持する保持部が形成され、
前記化粧料用メッシュは、メッシュ部、および、前記メッシュ部の縁に設けられた弾性変形可能な前記縁部から構成され、
前記化粧料収容部の保持部は、水平方向の開口を有する溝部が設けられ、前記溝部内に、前記化粧料用メッシュの縁部の弾性変形および水平方向の移動が可能な空間が形成され、前記溝部内に前記化粧料用メッシュの縁部が挿入されており、
前記化粧料収容部は、前記容器本体と着脱可能な別部材であり、
前記化粧料収容部の保持部は略コの字状の断面形状を有することで、前記空間が形成されており、
前記化粧料収容部の保持部が、前記容器本体の内側面に設けられた段差の部分に載せられて取り付けられていることを特徴とする化粧料容器。
【請求項２】
容器本体、化粧料収容部、化粧料用メッシュ、および、前記容器本体を開閉する蓋を備える化粧料容器であって、
前記化粧料収容部は、前記容器本体内に設けられており、上方に開口が形成され、前記開口の周囲には前記化粧料用メッシュの縁部を保持する保持部が形成され、
前記化粧料用メッシュは、メッシュ部、および、前記メッシュ部の縁に設けられた弾性変形可能な前記縁部から構成され、
前記化粧料収容部の保持部は、水平方向の開口を有する溝部が設けられ、前記溝部内に、前記化粧料用メッシュの縁部の弾性変形および水平方向の移動が可能な空間が形成され、前記溝部内に前記化粧料用メッシュの縁部が挿入されており、
前記化粧料収容部が、前記容器本体と着脱可能な別部材であり、
前記保持部は、前記化粧料収容部と一体の保持部本体、および、前記保持部本体に対して着脱可能な部材から構成され、弾性変形可能であり、
前記保持部本体は、前記化粧料収容部の上端から外側に水平に延伸する水平部、および、前記水平部から垂直に延伸する垂直部を有し、
前記着脱可能な部材は中央に開口を有する円板状であり、前記縁部を仮固定する係合部が形成されており、
前記着脱可能な部材の外周部が、前記保持部本体の垂直部に係合されていることを特徴とする化粧料容器。
【請求項３】
容器本体、化粧料収容部、化粧料用メッシュ、および、前記容器本体を開閉する蓋を備える化粧料容器であって、
前記化粧料収容部は、前記容器本体内に設けられており、上方に開口が形成され、前記開口の周囲には前記化粧料用メッシュの縁部を保持する保持部が形成され、
前記化粧料用メッシュは、メッシュ部、および、前記メッシュ部の縁に設けられた弾性変形可能な前記縁部から構成され、
前記化粧料収容部の保持部は、水平方向の開口を有する溝部が設けられ、前記溝部内に、前記化粧料用メッシュの縁部の弾性変形および水平方向の移動が可能な空間が形成され、前記溝部内に前記化粧料用メッシュの縁部が挿入されており、
前記化粧料収容部が、前記容器本体と着脱可能な別部材であり、
前記化粧料用メッシュの縁部は、前記保持部に上下に挟まれて密着した状態で保持されており、前記保持部は、前記化粧料用メッシュの縁部を上から保持する部分が弾性変形可能であり、前記化粧料用メッシュの縁部を前記空間内で弾性変形可能かつ水平方向に移動可能に保持することを特徴とする化粧料容器。
【請求項４】
容器本体、化粧料収容部、化粧料用メッシュ、および、前記容器本体を開閉する蓋を備える化粧料容器であって、
前記化粧料収容部は、前記容器本体内に設けられており、上方に開口が形成され、前記開口の周囲には前記化粧料用メッシュの縁部を保持する保持部が形成され、
前記化粧料用メッシュは、メッシュ部、および、前記メッシュ部の縁に設けられた弾性変形可能な前記縁部から構成され、
前記化粧料収容部の保持部は、水平方向の開口を有する溝部が設けられ、前記溝部内に、前記化粧料用メッシュの縁部の弾性変形および水平方向の移動が可能な空間が形成され、前記溝部内に前記化粧料用メッシュの縁部が挿入されており、
前記化粧料収容部の保持部は略コの字状の断面形状を有することで、前記空間が形成されており、
前記化粧料用メッシュの縁部が、切欠き、または、空洞を有することを特徴とする化粧料容器。
【請求項５】
前記化粧料収容部が、前記容器本体と着脱可能な別部材であることを特徴とする請求項４に記載の化粧料容器。
【請求項６】
容器本体、化粧料収容部、化粧料用メッシュ、および、前記容器本体を開閉する蓋を備える化粧料容器であって、
前記化粧料収容部は、上方に開口を有する凹部の形態で、前記容器本体と一体成形されており、前記化粧料収容部の内側面には前記化粧料用メッシュの縁部を保持する保持部が形成され、
前記化粧料用メッシュは、メッシュ部、および、前記メッシュ部の縁に設けられた弾性変形可能な前記縁部から構成され、
前記化粧料収容部の保持部は、前記化粧料収容部の内側面に開口を有し、水平方向に延伸している溝部として形成され、前記溝部内に、前記化粧料用メッシュの縁部の弾性変形および水平方向の移動が可能な空間が形成されており、前記溝部内に前記化粧料用メッシュの縁部が挿入されていることを特徴とする化粧料容器。
【請求項７】
前記化粧料収容部の保持部は略コの字状の断面形状を有することで、前記空間が形成されていることを特徴とする請求項２，３，６のいずれか１項に記載の化粧料容器。
【請求項８】
前記化粧料用メッシュの縁部が、切欠き、または、空洞を有することを特徴とする請求項１〜３，６，７のいずれか１項に記載の化粧料容器。
【請求項９】
前記保持部が弾性変形することを特徴とする請求項１，４〜６のいずれか１項に記載の化粧料容器。
【請求項１０】
前記化粧料用メッシュの縁部が、ゴム、樹脂、または金属からなることを特徴とする請求項１〜９のいずれか１項に記載の化粧料容器。
【請求項１１】
前記化粧料用メッシュのメッシュ部が、網目状、または、複数の孔形状であることを特徴とする請求項１〜１０のいずれか１項に記載の化粧料容器。
【請求項１２】
前記化粧料用メッシュの縁部は前記溝部内で下方には移動できないことを特徴とする請求項１〜１１のいずれか１項に記載の化粧料容器。
【発明の詳細な説明】
【技術分野】
【０００１】
本発明は、ファンデーションなどの化粧料を収容する化粧料容器に関し、収容した化粧料の上方に位置するメッシュを通過した化粧料を化粧用具で使用する化粧料容器に関する。
【背景技術】
【０００２】
ファンデーションなどの粉末状の化粧料は、化粧料収容部の上方にメッシュを配置した化粧料容器に収容されており、メッシュの上からパフを押し付けてメッシュを下方に変形させて、メッシュの下にある化粧料をパフに付着させて使用している。
【０００３】
パフによって上から押し付けることによりメッシュが変形するが、この際に、メッシュの下方への変形および復帰をスムーズに行うために、弾性支持部材によってメッシュを保持する構造（特許文献１，２）が用いられている。
【先行技術文献】
【特許文献】
【０００４】
【特許文献１】特許３３８６９７８号公報
【特許文献２】特許３７５１３３９号公報
【発明の概要】
【発明が解決しようとする課題】
【０００５】
しかしながら、従来の化粧料容器は、ナイロン、ポリエステル製のメッシュの場合、メッシュの変形量が少なくて化粧料収容部の隅まで届かないために、化粧料を最後まで使用できないという問題がある。このような問題を解決するために、メッシュをウレタン製とすることで変形し易くしたものが存在しているが、ウレタン製のメッシュの場合、化粧料の中味によっては耐久性に問題が生じる。また、弾性支持部材を用いたメッシュを保持する構造の場合、保持する部分の構造が複雑になる、あるいは、破損し易くなるという問題がある。
【０００６】
そこで、本発明は従来のメッシュを設けた化粧料容器の問題を解決するために、メッシュの材質に依存することなく、メッシュが容易に変形可能な化粧料容器を提供することを目的とする。
【課題を解決するための手段】
【０００７】
本発明の化粧料容器は、容器本体、化粧料収容部、化粧料用メッシュ、および、前記容器本体を開閉する蓋を備える化粧料容器であって、前記化粧料収容部は、前記容器本体内に設けられており、上方に開口が形成され、前記開口の周囲には前記化粧料用メッシュの縁部を保持する保持部が形成され、前記化粧料用メッシュは、メッシュ部、および、前記メッシュ部の縁に設けられた弾性変形可能な前記縁部から構成され、前記化粧料収容部の保持部は、水平方向の開口を有する溝部が設けられ、前記溝部内に、前記化粧料用メッシュの縁部の弾性変形および移動が可能な空間が形成されていることを特徴とする。
【０００８】
前記化粧料収容部は、前記容器本体と着脱可能な別部材、あるいは、前記容器本体と一体成形の部材である。
【０００９】
前記化粧料収容部の保持部は略コの字状の断面形状を有することで、前記空間が形成されている。  
【００１０】
前記保持部が、前記化粧料収容部から着脱可能な部材であり、さらに、前記着脱可能な部材に、前記縁部を仮固定する係合部が形成されている。
【００１１】
前記保持部が弾性変形する構造を用いることも可能である。
【００１２】
前記化粧料用メッシュの縁部が、ゴム、樹脂、または金属からなり、前記化粧料用メッシュの縁部が、切欠き、または、空洞を有することも可能である。
【００１３】
前記化粧料用メッシュのメッシュ部が、網目状、または、複数の孔形状である。
【発明の効果】
【００１４】
本発明の化粧料容器は、容器本体、化粧料収容部、化粧料用メッシュ、および、前記容器本体を開閉する蓋を備える化粧料容器であって、前記化粧料収容部は、前記容器本体内に設けられており、上方に開口が形成され、前記開口の周囲には前記化粧料用メッシュの縁部を保持する保持部が形成され、前記化粧料用メッシュは、メッシュ部、および、前記メッシュ部の縁に設けられた弾性変形可能な前記縁部から構成され、前記化粧料収容部の保持部は、水平方向の開口を有する溝部が設けられ、前記溝部内に、前記化粧料用メッシュの縁部の弾性変形および移動が可能な空間が形成されていることにより、前記メッシュ部をパフで押し付けた時に、前記化粧料用メッシュのメッシュ部だけでなく、前記化粧料用メッシュの縁部が、前記化粧用収容具の保持部の空間内で弾性変形することで、スムーズに前記化粧料用メッシュが変形することが可能となる。
【００１５】
前記化粧料収容部が、前記容器本体と着脱可能な別部材であることにより、前記化粧料収容部を、化粧料等の詰め替え用のレフィル容器として使用することができ、化粧料容器を繰り返し使用することが可能となる。
【００１６】
前記化粧料収容部が、前記容器本体と一体成形の部材であることにより、部品数が少なくなり、作業工程も少なくなることから、化粧料容器の製造コストを低減させることができる。
【００１７】
前記保持部の一部が、前記化粧料収容部から着脱可能な部材として形成され、さらに、前記着脱可能な部材に、前記縁部を仮固定する係合部が形成されていることにより、前記化粧料容器の組立時に、前記化粧料用メッシュを前記着脱可能な部材に仮固定した状態で、前記着脱可能な部材を前記化粧料収容部に取り付けることができるので、前記化粧料用メッシュの取り付け作業を容易にすることができる。
【図面の簡単な説明】
【００１８】
【図１】第１の実施形態の化粧料容器の蓋を開けた状態の斜視図である。
【図２】第１の実施形態の化粧料容器の断面図である。
【図３】図２のＡ部拡大図である。
【図４】第１の実施形態の化粧料容器に、化粧用具および化粧料を収容した状態の断面図である。
【図５】化粧料用メッシュが変形した状態の第１の実施形態の化粧料容器の断面図である。
【図６】第２の実施形態の化粧料容器の断面図である。
【図７】図６のＢ部拡大図である。
【図８】保持部を分割した状態の化粧料収容部の断面図である。
【図９】保持部の着脱可能な部材に化粧料用メッシュを仮固定した状態の断面図である。
【図１０】図９のＣ部拡大図である。
【図１１】化粧料収容部を組み立てた状態の断面図である。
【図１２】第３の実施形態の化粧料容器の断面図である。
【図１３】図１２のＤ部拡大図である。
【図１４】化粧料用メッシュが変形した状態の第３の実施形態の化粧料容器の断面図である。
【図１５】異なる形態の化粧料用メッシュの縁部を用いた場合の第３の実施形態の化粧料容器の断面図である。
【図１６】第４の実施形態の化粧料容器の断面図である。
【図１７】図１６のＥ部拡大図である。
【図１８】化粧料用メッシュが変形した状態の第４の実施形態の化粧料容器の断面図である。
【図１９】図１８のＦ部拡大図である。
【図２０】第５の実施形態の化粧料容器の断面図である。
【図２１】図２０のＧ部拡大図である。
【発明を実施するための形態】
【００１９】
本発明の化粧料容器について、図を用いて以下に詳細に説明する。本発明の化粧料容器は、ファンデーションなどの粉末状または半固形状の化粧料を収容する容器であり、図１に示すのが、本発明の第１の実施形態の化粧料容器１の蓋を開けた状態の斜視図であり、図２に示すのが化粧料容器１の蓋を閉じた状態の断面図である。
【００２０】
本発明の第１の実施形態の化粧料容器１は、図１，２に示すように、容器本体２、前記容器本体２内に形成された化粧料収容部３、化粧料用メッシュ４、および、前記容器本体２を開閉する蓋５から構成され、図４に示すように、前記化粧料収容部３内に化粧料１００が収容され、前記化粧料用メッシュ４の上に化粧用具１０１（パフなど）が載せられて収容されている。
【００２１】
図１に示すように、前記容器本体２は円筒形状を有し、外側面６の上部に、前記蓋５との係合に用いられるネジ７が形成されている。前記化粧料収容部３は、前記容器本体２内に着脱可能な部材として形成されており、上方に開口を有し、前記開口の周囲には、前記化粧料用メッシュ４を保持するための保持部８が形成されている。前記保持部８は、図２に示すように、水平方向の開口を有する溝部９を有し、前記溝部９は略コの字状の断面形状を有しており、内部には、前記化粧料用メッシュ４の縁部１２が配置される空間１０が存在する。
【００２２】
前記化粧料用メッシュ４は、メッシュ部１１および前記メッシュ部１１の縁に設けられた、弾性変形可能な縁部１２から構成されている。前記メッシュ部１１は、本実施形態では一般的な網目状を用いているが、その他に、板状の部材に複数の孔を設けた形状とすることも可能である。また、前記メッシュ部１１の材質としては、ウレタン、ナイロン、ポリエステル等から、伸縮性、化粧料の中味等を考慮して適宜選択可能である。
【００２３】
前記縁部１２は、リング状の部材であり、ゴム、樹脂、金属等の弾性変形可能な材質によって形成可能であるが、本実施形態ではゴムまたは樹脂を用いる場合について説明する。図２に示すように、前記縁部１２の断面はティアドロップ形状を有しており、ティアドロップの先端がリングの中心を向いており、前記ティアドロップの先端と、前記メッシュ部１１が繋がる形状となっている。
【００２４】
前記蓋５は、前記容器本体２のネジ７と係合するネジ１３が形成されており、前記容器本体２とネジ係合によって開閉可能に取り付けられている。前記蓋５の前記容器本体２への係合は、ネジ係合に限定するものではなく、ヒンジ係合等を用いることも可能である。
【００２５】
前記化粧料収容部３の保持部８は、上述のように、前記溝部９内に前記空間１０を有しており、前記空間１０内に前記化粧料用メッシュ４の縁部１２が配置される。この時、前記空間１０は、前記縁部１２が完全に嵌合されて固定されないように設定されている。前記化粧料用メッシュ４の取り付け方法は、まず、前記縁部１２を変形させて、前記化粧料用メッシュ４の一部を前記化粧料収容部３の開口から前記化粧料収容部３内へと入れ、そして、前記縁部１２の一部を前記溝部９の水平方向の開口から前記空間１０内へと挿入する。その後、前記縁部１２の形状を変化させながら、残りの部分を前記空間１０内へと挿入することで、前記化粧料用メッシュ４の取り付けが完了する。
【００２６】
このように、前記縁部１２は、前記保持部８によって固定された状態で保持されるのではなく、前記空間１０内で弾性変形可能かつ移動可能に保持されていることから、前記化粧料用メッシュ４のメッシュ部１１に力が加えられた時に、前記メッシュ部１１が変形するだけでなく、前記縁部１２も前記保持部８の空間１０内で弾性変形し、移動することで、前記化粧料用メッシュ４の変形はスムーズに行われ、変形量も従来よりも増やすことができる。
【００２７】
前記化粧料用メッシュ４の変形について詳細に説明する。前記化粧料用メッシュ４のメッシュ部１１を上から押し付けると、前記メッシュ部１１が下方に凹むように変形すると同時に、前記メッシュ部１１によって前記縁部１２を内側に引っ張る力が作用する。この時、前記縁部１２は、前記保持部８の空間１０内において、少なくとも一部が内側へと移動して弾性変形する。これにより、図５に示すように、前記メッシュ部１１の縁も前記化粧料収容部３内へと移動することができるので、前記メッシュ部１１自身の変形量に加えて、前記縁部１２の変形量がプラスされることになり、従来よりも前記化粧料用メッシュ４の変形量が増加することになる。
【００２８】
特に、図５に示すように、前記化粧料収容部３の隅の部分へと前記化粧料用メッシュ４のメッシュ部１１が変形することができるようになり、前記化粧料収容部３内の化粧料（図５には図示していない）を使用できる範囲が広がり、無駄なく化粧料を使用することが可能となる。また、化粧料の中味によって、前記メッシュ部１１に伸縮性の少ない材質を用いた場合でも、前記化粧料用メッシュ４の変形量を従来と同様に確保することが可能となる。
【００２９】
本実施形態の化粧料容器１は、前記化粧料収容部３が、前記容器本体２と着脱可能な別部材であることにより、前記化粧料収容部３を、化粧料等の詰め替え用のレフィル容器として使用することができ、化粧料容器１を繰り返し使用することが可能となる。前記化粧料収容部３を交換する際に、前記化粧料用メッシュ４は取り外して再利用することができる。
【００３０】
前記化粧料収容部３を、前記容器本体２とは別部材とする場合について説明してきたが、後述するように、前記化粧料収容部３は、前記容器本体２と一体成形とすることも可能である。また、前記化粧料用メッシュ４について平面形状が円形である場合を用いて説明してきたが、平面形状を矩形、多角形、楕円形など他の形状とすることも可能である。
【００３１】
次に、第２の実施形態の化粧料容器２１について図を用いて説明する。第２の実施形態の化粧料容器２１は、図６に示すように、容器本体２２、前記容器本体２２内に着脱可能に取り付けられた化粧料収容部２３、化粧料用メッシュ２４、および、前記容器本体２２にヒンジ係合された蓋２５から構成される。
【００３２】
前記容器本体２２と前記蓋２５は、ヒンジ２６によって開閉可能に係合されている。前記化粧料収容部２３は、前記容器本体２２内に着脱可能な部材として形成されており、開口の周囲には、前記化粧料用メッシュ２４を保持するための保持部２８が形成されている。前記保持部２８は、前記化粧料収容部２３と一体の保持部本体３４と、前記保持部本体３４に対して着脱可能な部材３５とから構成される。
【００３３】
前記保持部２８の保持部本体３４は、図７に示すように、前記化粧料収容部２３から水平に延伸する水平部と、前記水平部から垂直に延伸する垂直部を有し、前記垂直部の外周面に段差３６が形成されている。前記着脱可能な部材３５は、中央に開口を有する円板状であり、図７に示すように、外周部に前記保持部本体３４の段差３６と係合するフック部３７を有し、前記着脱可能な部材３５のフック部３７が前記保持部本体３４の段差３６と係合することにより、前記保持部２８は、略コの字状の断面形状を有する溝部２９が形成され、内部に、前記化粧料用メッシュ２４の縁部３２が配置される空間３０が形成される。そして、前記着脱可能な部材３５は、前記化粧料用メッシュ２４を仮固定するために、前記空間３０内へと延伸する略Ｌ字状断面の係合部３８を有する。
【００３４】
前記化粧料用メッシュ２４は、円形のメッシュ部３１、および、前記メッシュ部３１の縁に設けられた、弾性変形可能なリング状の縁部３２から構成されている。前記メッシュ部３１は、網目状を用いている。前記縁部３２の断面はティアドロップ形状を有しており、さらに、前記縁部３２の外周側には、図７に示すように、外側へ突出した凸部３９が設けられている。前記縁部３２の凸部３９は、図８，９，１０に示すように、前記保持部２８の着脱可能な部材３５に設けられた前記係合部３８に係合される。これにより、前記化粧料用メッシュ２４は、前記保持部２８に仮固定される。
【００３５】
前記化粧料用メッシュ２４は、前記化粧料容器２１を組み立てる際に、前記保持部２８の着脱可能な部材３５に仮固定されているが、使用時に、化粧用具で前記化粧料用メッシュ２４を上から押し付けると、前記化粧料用メッシュ２４の縁部３２の凸部３９は、前記保持部２８の着脱可能な部材３５の係合部３８との係合が解除されて、前記保持部２８の空間３０内へと移動する。前記化粧料用メッシュ２４の仮固定が解除されると、前記化粧料用メッシュ２４の縁部３２は、図７に示すように、前記保持部２８の空間３０内に、弾性変形可能かつ移動可能に保持された状態となる。
【００３６】
前記化粧料用メッシュ２４は、仮固定の解除後、前記保持部２８の空間３０内に、弾性変形可能かつ移動可能に保持されており、スムーズに変形することができる。もし使用時に、前記化粧料用メッシュ２４が仮固定の状態に戻ったとしても、化粧用具によって上から押し付けることで簡単に仮固定は解除されることから、前記化粧料用メッシュ２４の変形が妨げられることは無い。
【００３７】
次に、前記化粧料容器２１を製造する際の、前記化粧料収容部２３の組立手順について説明する。図８に示すように、前記保持部２８を、前記保持部本体３４と、前記着脱可能な部材３５とに分割した状態で、前記化粧料用メッシュ２４の縁部３２の凸部３９を、前記着脱可能な部材３５の係合部３８に挿入して係合させて、図９に示すように、前記化粧料用メッシュ２４を前記着脱可能な部材３５に仮固定する。その後、前記着脱可能な部材３５の上面には、図１１に示すような保護用のフィルム２７を載せる。そして、前記保持部本体３４の段差３６に前記着脱可能な部材３５のフック部３７を係合させることで、図１１に示すように、化粧料を入れた前記化粧料収容部２３の保持部本体３４に、前記着脱可能な部材３５を固定する。これにより、前記化粧料収容部２３の組み立てが完了する。この時、前記化粧料用メッシュ２４は、図１１に示すように、仮固定された状態である。
【００３８】
その後、前記蓋２５を前記ヒンジ２６によってヒンジ係合させた前記容器本体２２内に、前記化粧料収容部２３を取り付け、前記保護用のフィルム２７の上に化粧用具を載せて、前記蓋２５を閉じると、前記化粧料容器２１が完成する。
【００３９】
第１の実施形態では、前記化粧料用メッシュ４を取り付ける場合、前記化粧料用メッシュ４の縁部１２を変形させながら、前記化粧料収容部３の保持部８の溝部９に挿入する必要があった。これに対し、第２の実施形態では、前記化粧料用メッシュ２４を、図１０，１１に示すように、前記保持部２８の着脱可能な部材３５に仮固定することで、前記化粧料用メッシュ２４の取り付け作業が容易になる。
【００４０】
次に、第３の実施形態の化粧料容器４１について図を用いて説明する。第３の実施形態の化粧料容器４１は、図１２に示すように、容器本体４２、前記容器本体４２内に着脱可能に取り付けられた化粧料収容部４３、化粧料用メッシュ４４、および、前記容器本体４２にネジ係合された蓋４５から構成される。第３の実施形態の化粧料容器４１は、第１の実施形態の化粧料容器１の保持部８の構造を変更したものであり、その他の部材については同じ構造を用いていることから、前記化粧料収容部４３の保持部４８を中心に説明し、その他の部材の詳細な説明は省略する。
【００４１】
図１２に示すように、前記蓋４５は、前記容器本体４２の外側面４６の上部に設けられたネジ４７とネジ係合するネジ５３が形成されており、前記容器本体４２を開閉可能となっている。前記化粧料用メッシュ４４は、メッシュ部５１および前記メッシュ部５１の縁に設けられた、弾性変形可能な縁部５２から構成されている。前記メッシュ部５１には、網目状を用いている。前記縁部５２の断面はティアドロップ形状を有している。
【００４２】
前記化粧料収容部４３は、上方に開口を有し、前記開口の周囲には、前記化粧料用メッシュ４４を保持するための保持部４８が形成されている。前記保持部４８は、図１２，１３に示すように、水平方向の開口を有する溝部４９を有し、前記溝部４９は略コの字状の断面形状を有しており、内部には、前記化粧料用メッシュ４４の縁部５２が配置される空間５０が存在する。
【００４３】
前記保持部４８には、弾性変形可能な構造を用いる。弾性変形可能な構造としては、例えば、前記保持部４８に弾性変形し易い材質を用いる、あるいは、弾性変形し易い形状を用いることができる。本実施形態では、図１３に示すように、前記保持部４８の上側の部分の厚みを薄くすることで弾性変形する構造としている。前記化粧料用メッシュ４４の縁部５２は、前記保持部４８に密着し、挟まれた状態となっているが、前記保持部４８は弾性変形することから、前記保持部４８によって固定された状態で保持されるのではなく、前記空間５０内で弾性変形可能かつ移動可能に保持されることになる。
【００４４】
前記化粧料用メッシュ４４のメッシュ部５１を上から押し付けると、図１４に示すように、前記保持部４８の上部が片持ち梁のように変形することで、前記化粧料用メッシュ４４の縁部５２は固定されることなく、弾性変形して移動することができる。その結果、前記化粧料用メッシュ４４はスムーズに変形することができる。
【００４５】
本実施形態では、弾性変形可能な保持部４８を用いることで、前記化粧料用メッシュ４４のメッシュ部５１に力が加えられた時に、前記化粧料用メッシュ４４がスムーズに変形することが可能となり、変形量も従来よりも増やすことができる。
【００４６】
本実施形態では、前記化粧料用メッシュ４４の縁部５２は、第１の実施形態と同様に、ゴムまたは樹脂を用いた場合について説明してきたが、縁部５２の代わりに、図１５に示すように、鋼線からなり、円形の断面を有する縁部５２’を用いた化粧料用メッシュ４４’を用いることも可能である。鋼線からなる前記縁部５２’は、ゴムまたは樹脂からなる縁部５２よりも変形し難いが、前記保持部４８が弾性変形することで、前記化粧料用メッシュ４４’がスムーズに変形することが可能となる。
【００４７】
このように、前記保持部４８を弾性変形可能な構造とすることにより、前記縁部５２，５２’には様々な材質を用いることが可能となる。
【００４８】
次に、第４の実施形態の化粧料容器６１について図を用いて説明する。第４の実施形態の化粧料容器６１は、図１６に示すように、容器本体６２、前記容器本体６２内に着脱可能に取り付けられた化粧料収容部６３、化粧料用メッシュ６４、および、前記容器本体６２にネジ係合された蓋６５から構成される。第４の実施形態の化粧料容器６１は、第１の実施形態の化粧料容器１の化粧料用メッシュ４の縁部１２の構造を変更したものであり、その他の部材については同じ構造を用いていることから、前記化粧料用メッシュ６４の縁部７２を中心に説明し、その他の部材の詳細な説明は省略する。
【００４９】
図１６に示すように、前記蓋６５は、前記容器本体６２の外側面６６の上部に設けられたネジ６７とネジ係合するネジ７３が形成されており、前記容器本体６２を開閉可能となっている。
【００５０】
前記化粧料収容部６３は、上方に開口を有し、前記開口の周囲には、前記化粧料用メッシュ６４を保持するための保持部６８が形成されている。前記保持部６８は、図１７に示すように、水平方向の開口を有する溝部６９を有し、前記溝部６９は略コの字状の断面形状を有しており、内部には、前記化粧料用メッシュ６４の縁部７２が配置される空間７０が存在する。
【００５１】
前記化粧料用メッシュ６４は、メッシュ部７１および前記メッシュ部７１の縁に設けられた、弾性変形可能な縁部７２から構成されている。前記縁部７２は、図１７に示すように、外周側を切欠いた略コの字状断面を有する。前記化粧料用メッシュ６４を上から押し付けると、図１８，１９に示すように、前記縁部７２が変形することから、前記縁部７２は固定されることなく、前記保持部６８の空間７０内を弾性変形して移動することができる。その結果、前記化粧料用メッシュ６４はスムーズに変形することができる。
【００５２】
前記縁部７２は、このような断面形状を有することにより、第１の実施形態の縁部１２のように中実な断面形状を有するものよりも、弾性変形し易くなる。
【００５３】
前記縁部７２の断面形状は、前記縁部７２を弾性変形し易くする形状であればよく、例えば、内部に空洞を設けたリング状断面とすることも可能であり、その他にも、コの字状以外にも、一部に切欠きを設けた断面形状とすることも可能である。
【００５４】
次に、第５の実施形態の化粧料容器８１について図を用いて説明する。第５の実施形態の化粧料容器８１は、図２０に示すように、容器本体８２、前記容器本体８２と一体成形された化粧料収容部８３、化粧料用メッシュ８４、および、前記容器本体８２にネジ係合された蓋８５から構成される。第５の実施形態の化粧料容器８１は、第１の実施形態の化粧料容器１の容器本体２と化粧料収容部３が一体成形された構造であり、その他の部材については同じ構造を用いていることから、前記化粧料収容部８３を中心に説明し、その他の部材の詳細な説明は省略する。
【００５５】
図２０に示すように、前記蓋８５は、前記容器本体８２の外側面８６の上部に設けられたネジ８７とネジ係合するネジ９３が形成されており、前記容器本体８２を開閉可能となっている。前記化粧料用メッシュ８４は、メッシュ部９１および前記メッシュ部９１の縁に設けられた、弾性変形可能な縁部９２から構成されている。
【００５６】
前記容器本体８２は円筒形状を有し、外側面８６の上部に、前記蓋８５との係合に用いられるネジ８７が形成されている。前記化粧料収容部８３は、前記容器本体８２と一体成形されており、上方に開口を有する化粧料を収容する空間として前記容器本体８２の内部に形成されている。
【００５７】
そして、前記開口の周囲には、前記化粧料用メッシュ８４を保持するための保持部８８が形成されている。前記保持部８８は、図２０，２１に示すように、水平方向の開口を有する溝部８９として前記容器本体８２の内側面に形成され、前記溝部８９は略コの字状の断面形状を有し、内部には、前記化粧料用メッシュ８４の縁部９２が配置される空間９０が存在する。
【００５８】
前記化粧料用メッシュ８４は、円形のメッシュ部９１、および、前記メッシュ部９１の縁に設けられた、弾性変形可能なリング状の縁部９２から構成されている。前記メッシュ部９１には、網目状を用いている。前記縁部９２の断面はティアドロップ形状を有している。図２０，２１に示すように、前記化粧料用メッシュ８４の前記縁部９２が前記保持部８８の溝部８９の空間９０内に配置されることで、前記化粧料用メッシュ８４は、前記保持部８８に弾性変形可能かつ移動可能に保持される。
【００５９】
本実施形態の化粧料容器８１は、前記保持部８８によって、前記化粧料用メッシュ８４の縁部９２を弾性変形および移動可能に保持することで、前記化粧料用メッシュ８４はスムーズに変形することができる。そして、本実施形態の化粧料容器８１は、前記化粧料収容部８３を前記容器本体８２と一体成形することにより、前記化粧料収容部８３を交換することはできなくなるが、部品数が少なくなり、作業工程も少なくなることから、製造コストを低減させることができる。
【００６０】
本発明は、化粧料用メッシュのメッシュ部だけでなく、縁部を弾性変形および移動可能に保持することで、従来よりも簡単な構造で、化粧料用メッシュをスムーズに伸縮させることが可能となる。
【符号の説明】
【００６１】
１，２１，４１，６１，８１    化粧料容器
２，２２，４２，６２，８２    容器本体
３，２３，４３，６３，８３    化粧料収容部
４，２４，４４，６４，８４    化粧料用メッシュ
５，２５，４５，６５，８５    蓋
６，４６，６６，８６          外側面
７，４７，６７，８７          ネジ
８，２８，４８，６８，８８    保持部
９，２９，４９，６９，８９    溝部
１０，３０，５０，７０，９０  空間
１１，３１，５１，７１，９１  メッシュ部
１２，３２，５２，７２，９２  縁部
１３，５３，７３，９３        ネジ
２６                          ヒンジ
２７                          フィルム
３４                          保持部本体
３５                          着脱可能な部材
３６                          段差
３７                          フック部
３８                        係合部
３９                        凸部
１００                      化粧料
１０１                      化粧用具
【図１】
0006706902.tif 000002
【図２】
0006706902.tif 000003
【図３】
0006706902.tif 000004
【図４】
0006706902.tif 000005
【図５】
0006706902.tif 000006
【図６】
0006706902.tif 000007
【図７】
0006706902.tif 000008
【図８】
0006706902.tif 000009
【図９】
0006706902.tif 000010
【図１０】
0006706902.tif 000011
【図１１】
0006706902.tif 000012
【図１２】
0006706902.tif 000013
【図１３】
0006706902.tif 000014
【図１４】
0006706902.tif 000015
【図１５】
0006706902.tif 000016
【図１６】
0006706902.tif 000017
【図１７】
0006706902.tif 000018
【図１８】
0006706902.tif 000019
【図１９】
0006706902.tif 000020
【図２０】
0006706902.tif 000021
【図２１】
0006706902.tif 000022